(57)【要約】      （修正有）【課題】多種類の服と小物で着せ替えられる布製おもちゃ服セットを提供する。【解決手段】布製おもちゃ服セットは、織布体１０を含む。該織布体は二層の弾性布であり、複数の独立した布製服部材１１が設けられ、また隣接する布製服部材の間は少なくとも一つの連接部１２があるため、該布製服部材ははっきり区分でき、さらに該連接部を切り取ることで、上述の布製服部材を離して、自由に組み合わせることができる。実際に人形、ぬいぐるみなどに服を着せられ、子供が自由に組み合わせたり、変装させたりする欲望が満たされる。さらに多様化の服装の組み合わせにより、子供の想像力と創作力を啓発し、服装の組み合わせ創作性と美的感覚を培い、着せ替えごっこの面白みを向上させる。【選択図】図１
0003225239.tif 000002
【実用新案登録請求の範囲】
【請求項１】
織布体を含み、
前記織布体は二層の弾性布であり、複数の独立した布製服部材が設けられ、また隣接する前記布製服部材の間は少なくとも一つの連接部があるため、前記布製服部材ははっきり区分でき、さらに前記連接部を切り取ることで、前記布製服部材を離しておもちゃの着せ替えに提供することを特徴とする布製おもちゃ服セット。
【請求項２】
前記織布体は白い布であり、デザインと着色に提供することを特徴とする請求項１の布製おもちゃ服セット。
【請求項３】
前記布製服部材はスポーツ用アンダーウェア、手提げ袋、靴下、パンツ、袖なし水着、袖あり水着、マフラー、袖なしトップス、長ズボン、袖ありトップス、ヘアバンド、リストバンド、靴、帽子、手袋、短パン、チューブトップ、ミニスカート、リボンなど複数の服または小物による着せ替えが行えることを特徴とする布製おもちゃ服セット。
【考案の詳細な説明】
【技術分野】
【０００１】
本考案はおもちゃの服に関し、特に多種類の服と小物で着せ替えられる布製おもちゃ服セットに関する。
【背景技術】
【０００２】
従来の着せ替え紙人形は主に厚紙を切り取って人形と各種異なるスタイルの服と小物が作られる。上述の服と小物の縁にすべて多数の固定部分が設けられ、これらの固定部分を折り曲げて、そして紙人形に掛けて置くことで、紙人形に服を着せることができ、またこれらの服と小物は子供の好みによって自由に交換できる。しかし、従来の紙人形と服と小物はすべて紙製品で、遊んでいるうちに折れやすく、破れやすくなるために再び使用できず、耐用性がない。このほか、これらの服と小物はすべて掛けて置く方式で着せ替えを行い、飽きられやすく、また実際の組み合わせ効果から掛け離れるため、遊びの面白みに欠ける。
【０００３】
従って、本考案者は長年にわたって関係商品の製造開発と設計経験により、上述の目標について、詳しく設計と慎重に評価した結果、実用性を満ちた本考案を得た。
【考案の概要】
【考案が解決しようとする課題】
【０００４】
本考案が解決しようとする課題は、従来技術に存在する上述の欠点について解決し、布製おもちゃ服セットを提供する。
【課題を解決するための手段】
【０００５】
布製おもちゃ服セットは、織布体を含む。該織布体は二層の弾性布であり、複数の独立した布製服部材が設けられ、また隣接する上述布製服部材の間は少なくとも一つの連接部があるため、該布製服部材ははっきり区分でき、さらに該連接部を切り取ることで、上述の布製服部材を離しておもちゃの着せ替えに提供する。
該織布体は白い布であり、デザインと着色に提供する。
【０００６】
上述の布製服部材はスポーツ用アンダーウェア、手提げ袋、靴下、パンツ、袖なし水着、袖あり水着、マフラー、袖なしトップス、長ズボン、袖ありトップス、ヘアバンド、リストバンド、靴、帽子、手袋、短パン、チューブトップ、ミニスカート、リボンなど複数の服または小物による着せ替えが行える。
【０００７】
本考案は織布体に複数の互いに連接し、かつ独立した布製服部材が設けられるため、子供が選択した後、連接部に沿って布製服部材を切り取れば、実際に人形、ぬいぐるみなどに服を着せられ、子供が自由に組み合わせたり、変装させたりする欲望が満たされる。さらに多様化の服装の組み合わせにより、子供の想像力と創作力を啓発し、服装の組み合わせ創作性と美的感覚を培い、着せ替えごっこの面白みを向上させる。
【図面の簡単な説明】
【０００８】
【図１】図１は、本考案に係る布製おもちゃ服セットを示す図である。
【図２】図２は、本考案に係る布製おもちゃ服セットの切り取りを示す図である。
【図３】図３は、本考案に係る布製おもちゃ服セットの組み合わせを示す図（一）である。
【図４】図４は、本考案に係る布製おもちゃ服セットの組み合わせを示す図（二）である。
【図５】図５は、本考案に係る布製おもちゃ服セットの組み合わせを示す図（三）である。
【図６】図６は、本考案に係る布製おもちゃ服セットの組み合わせを示す図（四）である。
【図７】図７は、本考案に係る布製おもちゃ服セットの組み合わせを示す図（五）である。
【図８】図８は、本考案がストラップ紐、リングと組合せてストラップになることを示す図（一）である。
【図９】図９は、本考案がストラップ紐、リングと組合せてストラップになることを示す図（二）である。
【考案を実施するための形態】
【０００９】
まず、図１と図２を参照されたい。布製おもちゃ服セットは、織布体１０を含む。該織布体１０は二層の弾性布であり、複数の独立した布製服部材１１が設けられ、また隣接する上述布製服部材１１の間は少なくとも一つの連接部１２があるため、該布製服部材１１ははっきり区分でき、さらに該連接部１２を切り取ることで、上述の布製服部材を離しておもちゃの着せ替えに提供する。
【００１０】
上述の布製服部材１１はスポーツ用アンダーウェア１１１、手提げ袋１１２、靴下１１３、パンツ１１４、袖なし水着１１５、袖あり水着１１６、マフラー１１７、袖なしトップス１１８、長ズボン１１９、袖ありトップス１２０、ヘアバンド１２１、リストバンド１２２、靴１２３、帽子１２４、手袋１２５、短パン１２６、チューブトップ１２７、ミニスカート１２８、リボン１２９など複数の服または小物による着せ替えが行える。
【００１１】
上述をまとめると、実際に遊ぶ時、さらに図３に合わせて図４から図７を参照されたい。該織布体１０を連接部１２の位置に沿って該布製服部材１１を順番に切り取る。該織布体１０は二層の弾性布であり、また切り取った後の布製服部材１１はそれぞれ少なくとも一つの着るための入り口が形成されるため、弾性の性質によって該布製服部材１１を人形、ぬいぐるみなどのおもちゃに着せられる。また該織布体は白い布であるため、子供が自由にデザインして着色でき、さらに多様化の組み合わせにより、子供が脳と手を動かすだけでなく、子供の想像力と創作力を啓発し、服装の組み合わせ創作性と美的感覚を培う。
【００１２】
このほか、各布製服部材１１はアレンジして服の長さまたは切り取る角度によって、半そで、袖なしまたはデザイン袖になれる。または服の表面に網状または切り取り方式でそのほか特殊のスタイルになれるため、世界で一つだけの組み合わせに作り出せて、おもちゃの着せ替えの面白さと持久性を向上させる。
【００１３】
また、上述布製服部材１１はストラップ紐、リング１３を加えてストラップ、キーホルダーなどの装飾小物にでき、図８と図９を参照されたい。その中、これらの布製服部材１１を板体に嵌め、さらに板体にストラップ紐、リング１３を取り付けたり、ストラップ、リング１３を該布製服部材１１に直接に固定したりすると、ストラップの完成である。
【００１４】
上述の具体的な実施例の構造によって、以下の効果が得られる。すなわち、本考案は織布体１０に複数の互いに連接し、かつ独立した布製服部材１１が設けられるため、子供が選択した後、連接部１２に沿って布製服部材１１を切り取れば、実際に人形、ぬいぐるみなどに服を着せられ、子供が自由に組み合わせたり、変装させたりする欲望が満たされる。さらに多様化の服装の組み合わせにより、子供の想像力と創作力を啓発し、服装の組み合わせ創作性と美的感覚を培い、着せ替えごっこの面白みを向上させる。  
【００１５】
以上は、本考案に係る実施例の一部に過ぎないため、本考案の実施範囲を制限するものではない。即ち、本考案の実用新案登録請求の範囲内で行われる変化、修飾なども本考案の範囲に属すべきである。
【符号の説明】
【００１６】
本考案：
１０        織布体
１１        布製服部材
１２        連接部
１１１      スポーツ用アンダーウェア
１１２      手提げ袋
１１３      靴下
１１４      パンツ
１１５      袖なし水着
１１６      袖あり水着
１１７      マフラー
１１８      袖なしトップス
１１９      長ズボン
１２０      袖ありトップス
１２１      ヘアバンド
１２２      リストバンド
１２３      靴
１２４      帽子
１２５      手袋
１２６      短パン
１２７      チューブトップ
１２８      ミニスカート
１２９      リボン
１３        ストラップ紐、リング
【図１】
0003225239.tif 000003
【図２】
0003225239.tif 000004
【図３】
0003225239.tif 000005
【図４】
0003225239.tif 000006
【図５】
0003225239.tif 000007
【図６】
0003225239.tif 000008
【図７】
0003225239.tif 000009
【図８】
0003225239.tif 000010
【図９】
0003225239.tif 000011
【手続補正書】
【提出日】令和1年12月13日(2019.12.13)
【手続補正１】
【補正対象書類名】実用新案登録請求の範囲
【補正対象項目名】全文
【補正方法】変更
【補正の内容】
【実用新案登録請求の範囲】
【請求項１】
織布体を含み、
前記織布体は二層の弾性布であり、複数の独立した布製服部材が設けられ、また隣接する前記布製服部材の間は少なくとも一つの連接部があるため、前記布製服部材ははっきり区分でき、さらに前記連接部を切り取ることで、前記布製服部材を離しておもちゃの着せ替えに提供することを特徴とする布製おもちゃ服セット。
【請求項２】
前記織布体は、デザインと着色ができる白い布であることを特徴とする請求項１の布製おもちゃ服セット。
【請求項３】
前記布製服部材はスポーツ用アンダーウェア、手提げ袋、靴下、パンツ、袖なし水着、袖あり水着、マフラー、袖なしトップス、長ズボン、袖ありトップス、ヘアバンド、リストバンド、靴、帽子、手袋、短パン、チューブトップ、ミニスカート、リボンから選ばれる複数の服または小物であることを特徴とする請求項１に記載の布製おもちゃ服セット。